(57)【特許請求の範囲】
【請求項１】
天板と、
床面上に立設し前記天板を支持する脚部と、
前記床面と前記天板との間に設けられて前面に開口部が形成されているとともに物品を収容可能な収容部と、
横方向に配列され前記開口部を開閉する複数の開閉部材と、
前記複数の開閉部材とそれぞれ対応して設けられ該開閉部材を支持する支持部と、を備え、
前記複数の開閉部材のうちの少なくとも１つと対応する支持部は、前記横方向と交差する複数位置で形成可能とされ、前記開閉部材を前後方向に異なる位置で支持可能であることを特徴とするデスクシステム。
【請求項２】
隣り合う前記開閉部材の間には、これらの前後方向の隙間を塞ぐ塞ぎ部材が設けられていることを特徴とする請求項１に記載のデスクシステム。
【請求項３】
前記塞ぎ部材は、前記床面上に立設しているとともに前記天板を支持していることを特徴とする請求項２に記載のデスクシステム。
【請求項４】
前記開閉部材は横方向に３つ以上配列され、横方向の両端部以外に配された前記開閉部材の少なくとも１つは、前記横方向と交差する前後方向に複数設けられ前記開閉部材を前後方向に異なる位置で支持可能な支持部に支持されていることを特徴とする請求項１乃至３のいずれか１項に記載のデスクシステム。
【請求項５】
前記収容部には、前記物品を載置可能であるとともに前記収容部内および前記収容部の前面において移動可能な可動台が設けられていることを特徴とする請求項１乃至４のいずれか１項に記載のデスクシステム。
【発明の詳細な説明】
【技術分野】
【０００１】
本発明は、オフィスやトレーダールームなどの執務空間にて使用され、床面と天板との間に電子機器などを収容可能な収容部が設けられたデスクシステムに関する。
【背景技術】
【０００２】
従来より、オフィスやトレーダールームなどの執務空間では、特許文献１および２に開示されているような、床面と天板との間に電子機器などを収容可能な収容部が設けられたデスクシステムが使用されている。
【先行技術文献】
【特許文献】
【０００３】
【特許文献１】特許第２６７７１３１号公報
【特許文献２】特開２００１−１６１４７２号公報
【発明の概要】
【発明が解決しようとする課題】
【０００４】
しかしながら、床面と天板との間のスペースは、デスクシステムに向かって設置された椅子に使用者が着席したときに、使用者の脚が入り込むスペースでもあるため、収容部の容量が大きいと使用者の脚が収容部とぶつかってしまい使い勝手がよくないことがある。
特に、特許文献１のデスクシステムのように、収容部の前面に扉が設けられている場合は、使用者の脚が扉とぶつかってしまうという不具合がある。
【０００５】
本発明が解決しようとする課題は、上述する事情に鑑みてなされたもので、床面と天板との間の収容部の容量を確保しつつ使用者の脚が収容部と干渉することを防止できるデスクシステムを提供することにある。
【課題を解決するための手段】
【０００６】
上記課題を達成するため、本発明に係るデスクシステムは、天板と、床面上に立設し前記天板を支持する脚部と、前記床面と前記天板との間に設けられて前面に開口部が形成されているとともに物品を収容可能な収容部と、横方向に配列され前記開口部を開閉する複数の開閉部材と、前記複数の開閉部材とそれぞれ対応して設けられ該開閉部材を支持する支持部と、を備え、前記複数の開閉部材のうちの少なくとも１つと対応する支持部は、前記横方向と交差する複数位置で形成可能とされ、前記開閉部材を前後方向に異なる位置で支持可能であることを特徴とする。
【０００７】
本発明では、複数の開閉部材のうちの少なくとも１つと対応する支持部は、前記横方向と交差する複数位置で形成可能とされ、開閉部材を前後方向に異なる位置で支持可能であることにより、複数の開閉部材のうちの少なくとも１つが、他の開閉部材よりも後方で支持されると、開閉部材の前方のスペースを広く確保することができる。
そして、この開閉部材の前方のスペースを、デスクシステムに向かって着席した使用者の脚を置くスペースとして使用することができるため、使用者の脚が収容部にぶつかることを防ぐことができる。
使用者の脚を置くスペースを確保するために収容部の前面を全体的に後方に移動させる必要がないため、収容部の容量を確保することができる。
【０００８】
また、本発明に係るデスクシステムでは、隣り合う前記開閉部材の間には、これらの前後方向の隙間を塞ぐ塞ぎ部材が設けられていることが好ましい。
このように構成されることにより、隣り合う開閉部材が前後方向に異なる位置に取り付けられた場合でも、隣り合う開閉部材の間に隙間が生じることを防ぐことができる。
特に、収容部に電子機器が収容され、この電子機器を冷却するために収容部内に冷却風を取り込む場合、この隙間から冷却風が収容部外に漏れたり、冷却風以外の空気が収容部内に入り込んだりすることを防ぐことができる。
【０００９】
また、本発明に係るデスクシステムでは、前記塞ぎ部材は、前記床面上に立設しているとともに前記天板を支持していることが好ましい。
このように構成されることにより、脚部とともに塞ぎ部材が天板に作用する荷重を負担することができるため、脚部のみで天板を支持している場合と比べて、デスクシステムの強度を高めることができるとともに、脚部の構造を簡素化することができる。
【００１０】
また、本発明に係るデスクシステムでは、前記開閉部材は横方向に３つ以上配列され、横方向の両端部以外に配された前記開閉部材の少なくとも１つは、前記横方向と交差する前後方向に複数設けられ前記開閉部材を前後方向に異なる位置で支持可能な支持部に支持されていることが好ましい。
このように構成されることにより、開閉部材の前方のスペースを、横方向の両端部に比べて、中間部が広い形状とすることができる。
そして、一般的に、デスクシステムに対して使用者は横方向の中間部に着席することが多く、この広くなった部分に使用者が脚を置くことができるため、使用者が脚を置くためのスペースを最適な位置に確保することができる。
【００１１】
また、本発明に係るデスクシステムでは、前記収容部には、前記物品を載置可能であるとともに前記収容部内および前記収容部の前面において移動可能な可動台が設けられていることが好ましい。
このように構成されることによって、可動台を移動させることで、収容部に収容される物品の出し入れを容易に行うことができる。
【発明の効果】
【００１２】
本発明によれば、複数の開閉部材のうちの少なくとも１つと対応する支持部は、横方向と交差する前後方向に複数設けられ、開閉部材を前後方向に異なる位置で支持可能であることにより、複数の開閉部材のうちの少なくとも１つが、他の開閉部材よりも後方で支持されると、開閉部材の前方のスペースを広く確保することができる。
そして、この開閉部材の前方のスペースを、デスクシステムに向かって着席した使用者の脚を置くスペースとして使用することができるため、使用者の脚が収容部にぶつかることを防ぐことができる。
使用者の脚を置くスペースを確保するために収容部の前面を全体的に後方に移動させる必要がないため、収容部の容量を確保することができる。
【図面の簡単な説明】
【００１３】
【図１】本発明の実施形態によるデスクシステムの一例を示す斜視図である。
【図２】電子機器収容部の平面図である。
【図３】図２のＡ−Ａ線断面図である。
【図４】図２のＢ−Ｂ線断面図である。
【図５】塞ぎ部材と前面板および扉を説明する図である。
【図６】（ａ）〜（ｆ）は扉の位置を変更した電子機器収容部を説明する図である。
【発明を実施するための形態】
【００１４】
（第１実施形態）
以下、本発明の実施形態によるデスクシステムについて、図１乃至図６に基づいて説明する。
図１に示すように、本実施形態によるデスクシステム１は、平面視矩形状の天板２と、床面Ｆ上に立設し天板２の両側端部を支持する１対の脚部３，３と、を備えている。そして、天板２と床面Ｆとの間には、電子機器１１が収容される電子機器収容部４と、電子機器１１と接続される配線や天板２上にて使用される機器に接続される配線やＯＡタップ、ローゼットなど（以下、配線類と称する）が収容される配線収容部５とが設けられている。
また、本実施形態によるデスクシステム１には、天板２上面の後端部側から上方へ突出する支柱６が設けられていて、この支柱６にはディスプレイ７が取り付けられている。なお、図２以降では、支柱６およびディスプレイ７を省略する。
ここで、天板２の奥行き方向を前後方向（図中の矢印Ａの方向）とし、水平面内においてこの前後方向に直交する方向を横方向（図中の矢印Ｂの方向）として以下説明する。
【００１５】
図２乃至図４に示すように、天板２は、前端部２ａが電子機器収容部４および配線収容部５（図３および図４参照）の前端部よりも前側に突出している。このため、デスクシステム１に向かって椅子（不図示）が設置され、この椅子に使用者（不図示）が着席したときに、天板２と床面Ｆとの間で、かつ電子機器収容部４および配線収容部５の前方の空間Ｓは、着席した使用者の脚が入り込むように構成されている。
【００１６】
図３および図４に示すように、電子機器収容部４と配線収容部５とは上下方向に配列され、電子機器収容部４の上側に配線収容部５が配置している。そして、天板２には、上下方向に貫通する配線用開口部２１が形成されていて、この配線用開口部２１から配線収容部５の配線類が天板２の上部へ取り出されている。
電子機器収容部４と配線収容部５との間には、配線類が載置される配線トレー１２が設置され、この配線トレー１２によって電子機器収容部４と配線収容部５とが区画されている。この配線トレー１２は、脚部３，３に支持されている。
【００１７】
電子機器収容部４および配線収容部５の後面には、幕板８が設けられており、幕板８は、脚部３，３に固定された枠材８ａに取り付けられている。
また、配線収容部５の前面には、両端部が脚部３，３に固定された前面板９が設けられている。この前面板９には、天板２が固定されていて、前面板９は脚部３，３とともに天板２を支持している。
【００１８】
図２に戻り、電子機器収容部４は、前面に開口部４ａが形成され、前方から電子機器１１を出し入れ可能に構成されている。また、電子機器収容部４の前面には、横方向に配列された３つの扉（開閉部材）４１，４２，４３が取り付けられている。これらの３つの扉４１，４２，４３は、それぞれ開口部４ａの一部を開閉可能に構成されており、全ての扉４１，４２，４３を閉めることで、開口部４ａを閉塞することができる。
【００１９】
これらの３つの扉４１，４２，４３は、一方の側部にヒンジ４４が取り付けられていて、このヒンジ４４を中心に回転する開き戸となっている。
ここで、これらの３つの扉を、図２の上側から下側に向かって第１扉４１，第２扉４２，第３扉４３として以下説明する。
【００２０】
脚部３には、横方向の両端に位置する第１扉４１および第３扉４３いずれかのヒンジ４４を支持する支持部３ａが設けられている。そして、第１扉４１および第３扉４３は、ヒンジ４４がそれぞれ脚部３に支持されることにより、脚部３に取り付けられている。
第１扉４１および第３扉４３は、脚部３に支持された状態で開口部４ａの一部を開閉している。
【００２１】
横方向の中間に位置する第２扉４２は、その側方に位置する第１扉４１、第３扉４３よりも後方に取り付けられている。
そして、第２扉４２の両側方には、第２扉４２と第１扉４１および第３扉４３との前後方向の隙間を塞ぐ一対の塞ぎ部材４５，４５が設けられている。
図５に示すように、塞ぎ部材４５，４５は、床面Ｆに立設し、上端部は前面板９に固定されている。
【００２２】
図２に示すように、一対の塞ぎ部材４５，４５の一方には、その後端部近傍に、第２扉４２のヒンジ４４を支持可能な後側支持部（支持部）４５ａが設けられている。そして、第２扉４２は、ヒンジ４４が後側支持部４５ａに支持されることにより塞ぎ部材４５に取り付けられている。
【００２３】
また、この一方の塞ぎ部材４５には、前端部近傍に第２扉４２とは異なる第４扉４６のヒンジ４４を支持可能にな前側支持部（支持部）４５ｂが設けられている。第４扉４６も開き戸となっている。
そして、第２扉４２が塞ぎ部材４５から取り外された状態において、第４扉４６は、ヒンジ４４が前側支持部４５ｂに支持されることにより塞ぎ部材４５に取り付けられている。
なお、第４扉４６は、前側支持部４５ｂに代わって前面板９に設けられた支持部（不図示）に支持されるように構成されていてもよい。
【００２４】
これらの第２扉４２および第４扉４６は、いずれか一方が選択され電子機器収容部４に取り付けられる。
そして、第２扉４２が選択されて塞ぎ部材４５に取り付けられることにより、第２扉４２の前方のスペースＳ１を広くすることができ、このスペースＳ１を着席した使用者が脚を入れるスペースとして使用することができる。
【００２５】
一方、第４扉４６が選択されて塞ぎ部材４５に取り付けられると、第４扉４６は、第１扉４１および第３扉４３と前後方向において略同じ位置に配されている。
このように、第２扉４２に代わって第４扉４６を取り付けることにより、電子機器収容部４の内部を広くすることができる。
【００２６】
また、電子機器収容部４の内部には、電子機器１１を載置する３台の可動台５１，５２，５３が設けられている。これらの３台の可動台５１，５２，５３は、３つの扉４１，４２，４３からそれぞれ出し入れ可能に構成されている。
ここで、３台の可動台５１，５２，５３を、図２の上側から下側に向かって第１可動台５１，第２可動台５２，第３可動台５３とすると、第２可動台５２は、第１可動台５１および第３可動台５３よりも奥行きが小さく形成されている。
これらの可動台５１，５２，５３は、扉が開放された状態で、床面Ｆに沿って電子機器収容部４から前方へ引き出すことができる。
【００２７】
次に、上述したデスクシステム１の効果について図面を用いて説明する。
本実施形態によるデスクシステム１によれば、第２扉４２または第４扉４６が取り付け可能であることにより、第２扉４２を取り付ければ、デスクシステム１に向かって着席した使用者の脚を置くスペースＳ１を広く確保することができる。
また、第４扉４６を取り付ければ、電子機器収容部４の容量を確保することができる。
そして、使用者の脚を置くスペースＳ１を確保するために電子機器収容部４の前面を全体的に後方に移動させる必要がないため、電子機器収容部４の容量を確保することができる。
【００２８】
また、第２扉４２と、第１扉４１および第３扉４３との間に、塞ぎ部材４５が設けられていることにより、第２扉４２と、第１扉４１および第３扉４３との隙間を塞ぐことができる。
特に、電子機器収容部４に電子機器１１が収容されているため、この電子機器１１を冷却するために電子機器収容部４内に冷却風を取り込む場合、第２扉４２と、第１扉４１および第３扉４３との隙間から冷却風が電子機器収容部４外に漏れたり、冷却風以外の空気が電子機器収容部４内に入り込んだりすることを防ぐことができる。
【００２９】
また、第２扉４２を設置すれば、使用者の脚を置くスペースＳ１が横方向の中間部に形成されることになる。そして、一般的に、デスクシステム１に対して使用者は横方向の中間部に着席することが多いため、使用者が脚を置くためのスペースＳ１を最適な位置に確保することができる。
また、電子機器収容部４には、電子機器１１を載置可能な可動台５１，５２，５３が設けられていることにより、可動台５１，５２，５３を移動させることで、電子機器収容部４に収容される電子機器１１の出し入れを容易に行うことができる。また、電子機器１１の出し入れが容易であるため、電子機器１１のメンテナンスを容易に行うことができる。
【００３０】
以上、本発明によるデスクシステム１の実施形態について説明したが、本発明は上記の実施形態に限定されるものではなく、その趣旨を逸脱しない範囲で適宜変更可能である。
例えば、上述した実施形態では、第２扉４２が取り外されて第４扉４６に付け替え可能に構成されているが、図６（ａ）〜（ｆ）に示すように、第１扉４１や第３扉４３が取り外されて、第４扉４６の様に前方位置に付け替え可能に構成されていてもよい。また、複数の扉が付け替え可能に構成されていてもよい。このとき、各扉を支持する支持部３１，４５ａ，４５ｂは、脚部３，３や塞ぎ部材４５，４５だけでなく前面板９などに設けられていてもよい。
また、上述した本実施形態では、３つの扉４１，４２，４３が設けられているが、２つや４つ以上の扉が設けられていてもよい。
【００３１】
また、上述した実施形態では、後側支持部４５ａから第２扉４２を取り外して前側支持部４５ｂに第４扉４６を支持させているが、前側支持部４５ｂが第２扉４２を支持可能な構成にして、第４扉４６の代わりに取り外した第２扉４２を、塞ぎ部材４５に取り付けてもよい。
また、上述した本実施形態では、開閉部材として、第１扉４１，第２扉４２，第３扉４３、第４扉４６は開き戸としているが、開き戸以外に、観音式やケンドン式の扉、折れ戸などとしてもよく、全てを同じ形態としなくてもよい。なお、開閉部材がヒンジ４４を必要としない場合は、ヒンジ４４を支持する支持部３１，４５ａ，４５ｂに代わって、それぞれ開閉部材を支持可能な支持部を設ければよい。
また、上述した実施形態では、電子機器収容部４の内部に可動台５１，５２，５３が設けられているが、設けられていなくてもよい。
また、上述した実施形態では、電子機器収容部４が設けられているが、電子機器収容部４に代わって、電子機器１１以外の物品を収容する収容部が設けられていてもよい。
【符号の説明】
【００３２】
１  デスクシステム
２  天板
３  脚部
４  電子機器収容部（収容部）
１１  電子機器（物品）
３１  支持部
４１  第１扉（開閉部材）
４２  第２扉（開閉部材）
４３  第３扉（開閉部材）
４５  塞ぎ部材
４５ａ  後側支持部（支持部）
４５ｂ  前側支持部（支持部）
４６  第４扉
５１，５２，５３  可動台
Ｆ  床面
【図１】
0005637831.tif 000002
【図２】
0005637831.tif 000003
【図３】
0005637831.tif 000004
【図４】
0005637831.tif 000005
【図５】
0005637831.tif 000006
【図６】
0005637831.tif 000007